(57)【要約】【課題】ＦＦＣやＦＰＣのような対象物と接続可能なコネクタであって、対象物の意図しない抜去を防止できると共に対象物を引くだけで抜去できるコネクタを提供すること。【解決手段】コネクタ１０は、被ロック部６８を有する対象物６０と接続可能である。対象物６０は、前後方向（Ｙ方向）に沿って、コネクタ１０に挿入される。コネクタ１０は、ロック部材４０を備えている。ロック部材４０は、対象物６０の被ロック部６８をロックするロック部４３０を有している。ロック部４３０は、前側部４３２と、後側部４３４とを有している。対象物６０がコネクタ１０に挿入されていないとき、前側部４３２は、下方及び後方に延びて前後方向と第１角度で交差しており、後側部４３４は、下方及び前方に延びて前後方向と第２角度で交差している。第２角度は、第１角度よりも大きい。【選択図】図２２
2017037737.tif 000002
【特許請求の範囲】
【請求項１】
被ロック部を有する対象物を前後方向に沿って前方から挿入可能なコネクタであって、
ハウジングと、複数のコンタクトと、ロック部材とを備えており、
前記ハウジングは、前記コンタクトを前記前後方向と直交するピッチ方向に並べて保持しており、且つ、前記ロック部材を保持しており、
前記ロック部材は、前記対象物の前記被ロック部をロックするロック部を有しており、
前記ロック部は、前記ロック部の前記前後方向における前側及び後側に夫々位置する前側部及び後側部を有しており、
前記前側部及び前記後側部は、前記対象物が前記コネクタに挿入されていないときに前記前後方向及び前記ピッチ方向の双方と直交する上下方向において互いに同じ位置にある前側所定点及び後側所定点を夫々含んでおり、
前記対象物が前記コネクタに挿入されていないとき、前記ロック部の前記前側所定点における接線は、前記ピッチ方向と直交する垂直面内を下方及び後方に延びて前記前後方向と第１角度で交差しており、前記ロック部の前記後側所定点における接線は、前記垂直面内において下方及び前方に延びて前記前後方向と第２角度で交差しており、
前記第１角度及び前記第２角度の夫々は、０°よりも大きく９０°よりも小さく、
前記第２角度は、前記第１角度よりも大きい
コネクタ。
【請求項２】
請求項１記載のコネクタであって、
前記前側部は、前記前後方向及び前記上下方向の双方と斜交する平面であり、
前記対象物が前記コネクタに挿入されていないとき、前記前側部は、前記前後方向と前記第１角度で交差している
コネクタ。
【請求項３】
請求項１又は請求項２記載のコネクタであって、
前記後側部は、前記前後方向及び前記上下方向の双方と斜交する平面であり、
前記対象物が前記コネクタに挿入されていないとき、前記後側部は、前記前後方向と前記第２角度で交差している
コネクタ。
【請求項４】
被ロック部を有する対象物を前後方向に沿って前方から挿入可能なコネクタであって、
ハウジングと、複数のコンタクトと、ロック部材とを備えており、
前記ハウジングは、前記コンタクトを前記前後方向と直交するピッチ方向に並べて保持しており、且つ、前記ロック部材を保持しており、
前記ロック部材は、前記対象物の前記被ロック部をロックするロック部を有しており、
前記ロック部は、前記ロック部の前記前後方向における前側及び後側に夫々位置する前側部及び後側部を有しており、
前記前側部及び前記後側部の夫々は、前記前後方向と斜交し且つ前記前後方向及び前記ピッチ方向の双方と直交する上下方向と斜交する平面であり、
前記対象物が前記コネクタに挿入されていないとき、前記前側部は、下方及び後方に延びて前記前後方向と第１角度で交差しており、前記後側部は、下方及び前方に延びて前記前後方向と第２角度で交差しており、
前記第１角度及び前記第２角度の夫々は、０°よりも大きく９０°よりも小さく、
前記第２角度は、前記第１角度よりも大きい
コネクタ。
【請求項５】
請求項１乃至請求項４のいずれかに記載のコネクタであって、
前記ロック部材は折り曲げられた１枚の金属板からなる
コネクタ。
【請求項６】
請求項１乃至請求項５のいずれかに記載のコネクタであって、
前記ハウジングは、規制部を有しており、
前記規制部は、前記対象物が前記コネクタに挿入されたとき、前記上下方向において前記被ロック部の上方に位置して前記被ロック部の前記上下方向における移動を規制し、
前記ロック部材は、支持部と、バネ部とを有しており、
前記支持部は、前記バネ部を弾性変形可能に支持しており、
前記バネ部は、前記上下方向と交差する平板形状を有しており、少なくとも部分的に前記規制部の上に位置して前記前後方向に延びており、
前記ロック部は、前記バネ部から下方に延びている
コネクタ。
【請求項７】
請求項６記載のコネクタであって、
前記バネ部全体が前記規制部の上に位置している
コネクタ。
【請求項８】
請求項６又は請求項７記載のコネクタであって、
前記バネ部は、前記支持部から前方に延びており、
前記バネ部の前記ピッチ方向におけるサイズは、前方に向かうにつれて小さくなり、
前記ロック部は、前記バネ部の前端に設けられている
コネクタ。
【請求項９】
請求項８記載のコネクタであって、
前記規制部は、前記ハウジングの後端まで延びている
コネクタ。
【請求項１０】
請求項６乃至請求項９のいずれかに記載のコネクタであって、
前記ロック部は、前記ピッチ方向と交差する平板形状を有しており、前記バネ部の前記ピッチ方向における一方の側から下方に延びている
コネクタ。
【請求項１１】
請求項６乃至請求項１０のいずれかに記載のコネクタであって、
前記コネクタには、前記対象物を受容する受容部が形成されており、
前記ハウジングには、前記ハウジングの外部から前記受容部まで延びる通過路が形成されており、
前記通過路は、前記ピッチ方向において前記規制部と隣り合っており、
前記ロック部は、前記通過路を通過して前記受容部の内部に突出している
コネクタ。
【請求項１２】
請求項１１記載のコネクタであって、
前記ハウジングは、ガイド部を有しており、
前記通過路は、前記ピッチ方向において前記規制部と前記ガイド部との間に位置しており、
前記ガイド部の上端は、前記上下方向において前記通過路の上方に位置している
コネクタ。
【請求項１３】
請求項６乃至請求項１２のいずれかに記載のコネクタであって、
前記支持部には、前記支持部の前記上下方向の移動を防止する部位が２つ設けられている
コネクタ。
【請求項１４】
請求項６乃至請求項１３のいずれかに記載のコネクタであって、
前記ロック部材は、圧入突起が形成された被圧入部を有しており、
前記被圧入部は、前記ハウジングに圧入されて下方に延びており、
前記被圧入部の前記圧入突起は、前記上下方向と直交する方向に突出している
コネクタ。
【請求項１５】
請求項１４記載のコネクタであって、
前記ロック部材は、連結部と、止め部とを有しており、
前記連結部は、前記支持部と前記止め部とを互いに連結しており、
前記被圧入部及び前記連結部の夫々は、前記ピッチ方向と交差する平板形状を有しており、
前記バネ部と前記支持部との間の境界は、前記ピッチ方向において前記被圧入部と前記連結部との間に位置している
コネクタ。
【請求項１６】
請求項１５記載のコネクタであって、
前記ハウジングには、挿入部と、位置決め部とが形成されており、
前記挿入部と前記位置決め部とは、前記前後方向において並んでおり、
前記被圧入部及び前記連結部の夫々は、前記支持部に接続されて下方に延びており、
前記止め部は、前記連結部から下方に延びており、
前記被圧入部の下端は、前記上下方向において前記止め部の下端の上方に位置しており、
前記連結部は、少なくとも部分的に前記挿入部の内部に位置しており、
前記止め部は、少なくとも部分的に前記位置決め部の内部に位置している
コネクタ。
【発明の詳細な説明】
【技術分野】
【０００１】
本発明は、ＦＦＣ（Flexible Flat Cable）やＦＰＣ（Flexible Printed Circuits）のような対象物と接続可能なコネクタに関する。
【背景技術】
【０００２】
このタイプのコネクタは、例えば、特許文献１に開示されている。
【０００３】
図２５を参照すると、特許文献１に開示された電気コネクタ（コネクタ）９００は、ＦＰＣのような信号伝送媒体（対象物）９９０と前後方向（Ｙ方向）に沿って接続可能である。コネクタ９００は、絶縁ハウジング（ハウジング）９１０と、ハウジング９１０に保持されたロック部材９２０とを備えている。ハウジング９１０には、ロック部材９２０を操作する操作カバー９１２が設けられている。ロック部材９２０は、係止ロック部（ロック部）９２２を有している。ロック部９２２は、後側部９２２Ｒを有している。対象物９９０には、係合位置決め部（被ロック孔）９９２が形成されている。対象物９９０がコネクタ９００と接続すると、ロック部９２２が被ロック孔９９２の内部に位置する。これにより、ロック部９２２の後側部９２２ＲがＹ方向において被ロック孔９９２の内壁と対向して、対象物９９０の抜去を防止する。
【０００４】
図２６を参照すると、操作カバー９１２を下方（−Ｚ方向）に押圧すると、ロック部９２２が上方（＋Ｚ方向）に移動して被ロック孔９９２から外れる。この操作によって、対象物９９０をコネクタ９００から抜去できる。
【先行技術文献】
【特許文献】
【０００５】
【特許文献１】特開２０１３−１２５６６８号公報
【発明の概要】
【発明が解決しようとする課題】
【０００６】
図２５を参照すると、ロック部９２２の後側部９２２Ｒは、Ｙ方向と直交する垂直面である。これにより、衝撃等による対象物９９０の意図しない抜去が確実に防止される。一方、対象物９９０を−Ｙ方向に引くだけでは、対象物９９０をコネクタ９００から抜去できない。対象物９９０を抜去する際には、操作カバー９１２を操作する必要がある。従って、コネクタ９００は、操作カバー９１２の操作が可能となるように設置する必要がある。例えば、コネクタ９００は、上方を覆われた狭い空間の内部に設置できない。即ち、コネクタ９００を設置可能な場所が限定される。
【０００７】
そこで、本発明は、ＦＦＣやＦＰＣのような対象物と接続可能なコネクタであって、対象物の意図しない抜去を防止できると共に対象物を引くだけで抜去できるコネクタを提供することを目的とする。
【課題を解決するための手段】
【０００８】
本発明は、第１のコネクタとして、
被ロック部を有する対象物を前後方向に沿って前方から挿入可能なコネクタであって、
ハウジングと、複数のコンタクトと、ロック部材とを備えており、
前記ハウジングは、前記コンタクトを前記前後方向と直交するピッチ方向に並べて保持しており、且つ、前記ロック部材を保持しており、
前記ロック部材は、前記対象物の前記被ロック部をロックするロック部を有しており、
前記ロック部は、前記ロック部の前記前後方向における前側及び後側に夫々位置する前側部及び後側部を有しており、
前記前側部及び前記後側部は、前記対象物が前記コネクタに挿入されていないときに前記前後方向及び前記ピッチ方向の双方と直交する上下方向において互いに同じ位置にある前側所定点及び後側所定点を夫々含んでおり、
前記対象物が前記コネクタに挿入されていないとき、前記ロック部の前記前側所定点における接線は、前記ピッチ方向と直交する垂直面内を下方及び後方に延びて前記前後方向と第１角度で交差しており、前記ロック部の前記後側所定点における接線は、前記垂直面内において下方及び前方に延びて前記前後方向と第２角度で交差しており、
前記第１角度及び前記第２角度の夫々は、０°よりも大きく９０°よりも小さく、
前記第２角度は、前記第１角度よりも大きい
コネクタを提供する。
【０００９】
また、本発明は、第２のコネクタとして、第１のコネクタであって、
前記前側部は、前記前後方向及び前記上下方向の双方と斜交する平面であり、
前記対象物が前記コネクタに挿入されていないとき、前記前側部は、前記前後方向と前記第１角度で交差している
コネクタを提供する。
【００１０】
また、本発明は、第３のコネクタとして、第１又は第２のコネクタであって、
前記後側部は、前記前後方向及び前記上下方向の双方と斜交する平面であり、
前記対象物が前記コネクタに挿入されていないとき、前記後側部は、前記前後方向と前記第２角度で交差している
コネクタを提供する。
【００１１】
また、本発明は、第４のコネクタとして、
被ロック部を有する対象物を前後方向に沿って前方から挿入可能なコネクタであって、
ハウジングと、複数のコンタクトと、ロック部材とを備えており、
前記ハウジングは、前記コンタクトを前記前後方向と直交するピッチ方向に並べて保持しており、且つ、前記ロック部材を保持しており、
前記ロック部材は、前記対象物の前記被ロック部をロックするロック部を有しており、
前記ロック部は、前記ロック部の前記前後方向における前側及び後側に夫々位置する前側部及び後側部を有しており、
前記前側部及び前記後側部の夫々は、前記前後方向と斜交し且つ前記前後方向及び前記ピッチ方向の双方と直交する上下方向と斜交する平面であり、
前記対象物が前記コネクタに挿入されていないとき、前記前側部は、下方及び後方に延びて前記前後方向と第１角度で交差しており、前記後側部は、下方及び前方に延びて前記前後方向と第２角度で交差しており、
前記第１角度及び前記第２角度の夫々は、０°よりも大きく９０°よりも小さく、
前記第２角度は、前記第１角度よりも大きい
コネクタを提供する。
【００１２】
また、本発明は、第５のコネクタとして、第１乃至第４のいずれかのコネクタであって、
前記ロック部材は折り曲げられた１枚の金属板からなる
コネクタを提供する。
【００１３】
また、本発明は、第６のコネクタとして、第１乃至第５のいずれかのコネクタであって、
前記ハウジングは、規制部を有しており、
前記規制部は、前記対象物が前記コネクタに挿入されたとき、前記上下方向において前記被ロック部の上方に位置して前記被ロック部の前記上下方向における移動を規制し、
前記ロック部材は、支持部と、バネ部とを有しており、
前記支持部は、前記バネ部を弾性変形可能に支持しており、
前記バネ部は、前記上下方向と交差する平板形状を有しており、少なくとも部分的に前記規制部の上に位置して前記前後方向に延びており、
前記ロック部は、前記バネ部から下方に延びている
コネクタを提供する。
【００１４】
また、本発明は、第７のコネクタとして、第６のコネクタであって、
前記バネ部全体が前記規制部の上に位置している
コネクタを提供する。
【００１５】
また、本発明は、第８のコネクタとして、第６又は第７のコネクタであって、
前記バネ部は、前記支持部から前方に延びており、
前記バネ部の前記ピッチ方向におけるサイズは、前方に向かうにつれて小さくなり、
前記ロック部は、前記バネ部の前端に設けられている
コネクタを提供する。
【００１６】
また、本発明は、第９のコネクタとして、第８のコネクタであって、
前記規制部は、前記ハウジングの後端まで延びている
コネクタを提供する。
【００１７】
また、本発明は、第１０のコネクタとして、第６乃至第９のいずれかのコネクタであって、
前記ロック部は、前記ピッチ方向と交差する平板形状を有しており、前記バネ部の前記ピッチ方向における一方の側から下方に延びている
コネクタを提供する。
【００１８】
また、本発明は、第１１のコネクタとして、第６乃至第１０のいずれかのコネクタであって、
前記コネクタには、前記対象物を受容する受容部が形成されており、
前記ハウジングには、前記ハウジングの外部から前記受容部まで延びる通過路が形成されており、
前記通過路は、前記ピッチ方向において前記規制部と隣り合っており、
前記ロック部は、前記通過路を通過して前記受容部の内部に突出している
コネクタを提供する。
【００１９】
また、本発明は、第１２のコネクタとして、第１１のコネクタであって、
前記ハウジングは、ガイド部を有しており、
前記通過路は、前記ピッチ方向において前記規制部と前記ガイド部との間に位置しており、
前記ガイド部の上端は、前記上下方向において前記通過路の上方に位置している
コネクタを提供する。
【００２０】
また、本発明は、第１３のコネクタとして、第６乃至第１２のいずれかのコネクタであって、
前記支持部には、前記支持部の前記上下方向の移動を防止する部位が２つ設けられている
コネクタを提供する。
【００２１】
また、本発明は、第１４のコネクタとして、第６乃至第１３のいずれかのコネクタであって、
前記ロック部材は、圧入突起が形成された被圧入部を有しており、
前記被圧入部は、前記ハウジングに圧入されて下方に延びており、
前記被圧入部の前記圧入突起は、前記上下方向と直交する方向に突出している
コネクタを提供する。
【００２２】
また、本発明は、第１５のコネクタとして、第１４のコネクタであって、
前記ロック部材は、連結部と、止め部とを有しており、
前記連結部は、前記支持部と前記止め部とを互いに連結しており、
前記被圧入部及び前記連結部の夫々は、前記ピッチ方向と交差する平板形状を有しており、
前記バネ部と前記支持部との間の境界は、前記ピッチ方向において前記被圧入部と前記連結部との間に位置している
コネクタを提供する。
【００２３】
また、本発明は、第１６のコネクタとして、第１５のコネクタであって、
前記ハウジングには、挿入部と、位置決め部とが形成されており、
前記挿入部と前記位置決め部とは、前記前後方向において並んでおり、
前記被圧入部及び前記連結部の夫々は、前記支持部に接続されて下方に延びており、
前記止め部は、前記連結部から下方に延びており、
前記被圧入部の下端は、前記上下方向において前記止め部の下端の上方に位置しており、
前記連結部は、少なくとも部分的に前記挿入部の内部に位置しており、
前記止め部は、少なくとも部分的に前記位置決め部の内部に位置している
コネクタを提供する。
【発明の効果】
【００２４】
本発明によれば、ロック部の後側部の接線は、ロック部の前側部の接線よりも大きな角度（第２角度）で前後方向（対象物が挿入され抜去される方向）と交差する。このため、対象物をコネクタから抜去するためには、対象物をコネクタに挿入する際に必要な挿入力よりも大きな抜去力が必要である。例えば第２角度の調整によって抜去力を比較的大きく設定することで、対象物の意図しない抜去を防止できる。また、本発明によれば、第２角度は、９０°よりも小さい。このため、対象物を抜去力で引くことによって、ロック部のロックが外れる。換言すれば、対象物を引くだけでコネクタから抜去できる。
【図面の簡単な説明】
【００２５】
【図１】本発明の実施の形態による２つのコネクタが取り付けられた構造体を、コネクタに夫々接続可能な２つの対象物と共に示す斜視図である。対象物は、コネクタに挿入されていない。一方の対象物の被挿入部（破線で囲んだ部分）を拡大して描画している。
【図２】図１の構造体を対象物と共に示す斜視図である。対象物は、コネクタに挿入され接続されている。
【図３】図１のコネクタを示す斜視図である。
【図４】図３のコネクタを示す分解斜視図である。
【図５】図４のコネクタのハウジングを示す斜視図である。
【図６】図５のハウジングのピッチ方向における一方側を示す背面図である。
【図７】図４のコネクタのコンタクトを示す斜視図である。
【図８】図４のコネクタのロック部材を示す斜視図である。
【図９】図８のロック部材を示す別の斜視図である。
【図１０】図８のロック部材を示す側面図である。
【図１１】図８のロック部材を示す上面図である。支持部とバネ部との間の境界を破線（仮想線）で描画している。
【図１２】図８のロック部材を示す正面図である。
【図１３】図３のコネクタを示す別の斜視図である。
【図１４】図３のコネクタを示す更に別の斜視図である。
【図１５】図３のコネクタのピッチ方向における一方の側部の近傍を示す上面図である。
【図１６】図３のコネクタを示す側面図である。
【図１７】図３のコネクタのピッチ方向における一方の側部の近傍を示す背面図である。
【図１８】図３のコネクタを示す正面図である。
【図１９】図１８のコネクタをＸＩＸ−ＸＩＸ線に沿って示す断面図である。ロック部材のロック部の近傍（１点鎖線で囲んだ部分）を拡大して描画している。
【図２０】図１８のコネクタをＸＸ−ＸＸ線に沿って示す断面図である。ロック部材のロック部の近傍（１点鎖線で囲んだ部分）を拡大して描画している。
【図２１】図３のコネクタを一部切り欠いて対象物と共に示す斜視図である。ハウジングの上板部の下端を破線（仮想線）で描画している。対象物は、コネクタに挿入開始しているが、コネクタと接続されていない。
【図２２】図２１のコネクタ及び対象物を示す斜視図である。対象物は、コネクタと接続されている。
【図２３】図２０のロック部の近傍を、コンタクトを除いて示す断面図である。コネクタに挿入される際の対象物の先端を１点鎖線で描画しており、コネクタから抜去される際の対象物の被ロック部を２点鎖線で描画している。
【図２４】図２３のロック部の変形例を示す断面図である。
【図２５】特許文献１のコネクタを示す断面図である。コネクタは対象物と接続している。
【図２６】図２４のコネクタ及び対象物を示す断面図である。対象物は、コネクタから抜去されている。
【発明を実施するための形態】
【００２６】
図１及び図２を参照すると、本発明の実施の形態によるコネクタ１０は、構造体８０に取り付けられて使用される。本実施の形態において、構造体８０は、ＬＥＤ（Light Emitting Diode）バックライトの給電部であり、固定対象物（回路基板）８２と、壁部８４とを備えている。回路基板８２は、構造体８０の内部に位置しており、壁部８４は、回路基板８２を構造体８０の外部から隔てている。
【００２７】
コネクタ１０は、上下方向（Ｚ方向）において回路基板８２の上に搭載されて固定される。換言すれば、コネクタ１０は、構造体８０の内部に設置される。図示された構造体８０には、２つのコネクタ１０が設置されている。但し、本発明は、これに限られない。例えば、構造体８０の種類や用途は特に限定されない。また、構造体８０に設置されるコネクタ１０の数は、１であってもよいし、３以上であってもよい。
【００２８】
壁部８４には、コネクタ１０に夫々対応した窓８８が形成されている。コネクタ１０の前後方向（Ｙ方向）における前端（−Ｙ側の端）は、Ｙ方向において窓８８の近傍に位置しており、ＸＺ平面において窓８８の内部に位置している。構造体８０が使用されるとき、コネクタ１０は、上方（＋Ｚ側）及び後方（＋Ｙ側）から覆われている。このとき、操作者は、窓８８を通してのみコネクタ１０に触れることができる。
【００２９】
図１、図２、図２１及び図２２から理解されるように、コネクタ１０は、平板状のＦＰＣ（対象物）６０と接続可能である。対象物６０は、被挿入部６２を有している。対象物６０の被挿入部６２は、＋Ｙ方向（挿入方向）に沿って前方（−Ｙ側）からコネクタ１０に挿入可能であり、−Ｙ方向（抜去方向）に沿ってコネクタ１０から抜去可能である。
【００３０】
図１に示されるように、被挿入部６２には、複数の端子６４と、２つの凹部６６とが設けられている。端子６４は、被挿入部６２の上面（＋Ｚ側の面）においてピッチ方向（Ｘ方向）に並んでいる。凹部６６は、被挿入部６２のＸ方向における両側に夫々形成されており、Ｘ方向内側に凹んでいる。凹部６６の夫々には、被ロック部６８が形成されている。これにより、対象物６０は、２つの被ロック部６８を有している。本実施の形態による被ロック部６８は、凹部６６の＋Ｙ側の内壁である。但し、本発明は、これに限られない。例えば、被ロック部６８は、被挿入部６２をＺ方向に貫通する孔の＋Ｙ側の内壁であってもよい。
【００３１】
図３及び図４を参照すると、コネクタ１０は、絶縁体からなるハウジング２０と、導電体からなる複数のコンタクト３０と、金属製の２つのロック部材４０とを備えている。コネクタ１０には、対象物６０（図２１参照）の被挿入部６２を受容する受容部１２が形成されている。本実施の形態による受容部１２は、ハウジング２０の内部に位置する空間であり、前方に開口している。
【００３２】
図５に示されるように、ハウジング２０は、１つの主部２１０と、２つの側部２２０とを有している。主部２１０は、ハウジング２０のＸ方向における中間部に位置しており、側部２２０は、ハウジング２０のＸ方向における両側に夫々位置している。主部２１０のＸ方向における両側には、側面２１８が夫々形成されている。側部２２０は、側面２１８のＸ方向外側に夫々位置している。ハウジング２０は、ＹＺ平面に対して鏡対称な形状を有している。従って、２つの側部２２０は、ＹＺ平面に対して互いに鏡対称な形状を有している。ハウジング２０は、後面（後端）２４を有している。本実施の形態において、後端２４は、主部２１０及び側部２２０の後端面（＋Ｙ側の端面）である。
【００３３】
図５及び図１９を参照すると、主部２１０の後部（＋Ｙ側の部位）には後壁２１２が形成されている。図３及び図１９を参照すると、受容部１２は、Ｙ方向において、後壁２１２の前方に位置しており、Ｘ方向において、主部２１０の側面２１８を越えて側部２２０の内部まで延びている。図５及び図６に示されるように、後壁２１２には、複数の保持部２１４が形成されている。保持部２１４は、Ｘ方向に並んでいる。図１９を参照すると、保持部２１４は、後壁２１２をＹ方向に貫通して受容部１２まで延びている。
【００３４】
図５を参照すると、側部２２０の夫々は、上板部２２２と、内壁面２２４と、２つの外壁２２６とを有している。図５及び図２１を参照すると、上板部２２２は、Ｙ方向において側部２２０の前端近傍と後端２４との間に位置し、Ｚ方向において受容部１２の上に位置する平板状の部位である。図５を参照すると、内壁面２２４は、Ｘ方向と直交する垂直面である。内壁面２２４は、上板部２２２のＸ方向外側の端に設けられている。外壁２２６は、側部２２０の前端近傍と、側部２２０の後部との２箇所に夫々形成されている。外壁２２６の夫々は、内壁面２２４のＸ方向外側に位置しており、内壁面２２４と平行に延びている。外壁２２６の夫々は、下端（−Ｚ側の端）において内壁面２２４に連結されている。
【００３５】
図４及び図５に示されるように、側部２２０の夫々には、規制部２３０と、通過路２４０と、ガイド部２５０と、圧入部２６０と、２つの挿入部２７０と、位置決め部２８０とが形成されている。換言すれば、ハウジング２０は、２つの側部２２０の夫々において、規制部２３０と、通過路２４０と、ガイド部２５０と、圧入部２６０と、挿入部２７０と、位置決め部２８０とを有している。
【００３６】
規制部２３０は、上板部２２２から構成されている。規制部２３０の上面は、ハウジング２０の後端２４まで、Ｚ方向と直交する水平面（ＸＹ平面）上を延びている。このため、金型を使用してハウジング２０を作製する際、規制部２３０を形成し易い。
【００３７】
図５及び図２１を参照すると、通過路２４０は、上板部２２２の前端近傍に位置する孔であり、ハウジング２０の外部から受容部１２まで延びている。ガイド部２５０は、上板部２２２の前端近傍に位置する直方体形状の突起であり、側面２１８に沿ってＹ方向に延びつつ上方に突出している。ガイド部２５０の上端（＋Ｚ側の端）は、Ｚ方向において通過路２４０の上方に位置している。通過路２４０は、Ｘ方向において規制部２３０とガイド部２５０との間に位置している。換言すれば、通過路２４０は、Ｘ方向において規制部２３０及びガイド部２５０の夫々と隣り合っている。
【００３８】
図５及び図１４を参照すると、圧入部２６０は、上板部２２２の後部に位置する孔であり、上板部２２２から下方（−Ｚ方向）に延びて、側部２２０を貫通している。図５を参照すると、挿入部２７０の夫々は、内壁面２２４と外壁２２６との間に形成された溝である。圧入部２６０及び挿入部２７０の夫々は、全体としてＹＺ平面と平行に延びている。位置決め部２８０は、−Ｙ側の外壁２２６と＋Ｙ側の外壁２２６との間に位置する空間である。挿入部２７０と位置決め部２８０とは、Ｙ方向において並んでいる。詳しくは、位置決め部２８０は、Ｙ方向において２つの挿入部２７０の間に位置している。圧入部２６０は、側部２２０のＸ方向内側の端近傍に位置しており、挿入部２７０及び位置決め部２８０は、側部２２０のＸ方向外側の端近傍に位置している。
【００３９】
図４に示されるように、本実施の形態によるコンタクト３０は、互いに同一形状を有している。図７に示されるように、コンタクト３０の夫々は、２つの接続部３１０と、被保持部３２０と、被固定部３３０とを有している。接続部３１０は、被保持部３２０から前方に延びている。被保持部３２０には、圧入突起が形成されている。被固定部３３０は、被保持部３２０から全体として下方に延びている。
【００４０】
図４、図１３、図１７及び図１９を参照すると、コンタクト３０は、後方からハウジング２０に圧入されている。詳しくは、被保持部３２０は、保持部２１４に圧入されて保持されている。これにより、ハウジング２０は、コンタクト３０をＸ方向に並べて保持している。図１８を参照すると、接続部３１０の前端は、受容部１２内に突出している。図１３を参照すると、被固定部３３０は、コネクタ１０の使用時に、回路基板８２（図１参照）に半田付け等によって固定される。
【００４１】
図４に示されるように、本実施の形態において、２つのロック部材４０は、ＹＺ平面に対して互いに鏡対称な形状を有している。本実施の形態によるロック部材４０の夫々は、打ち抜かれて折り曲げられた１枚の金属板から形成されている。これにより、必要な強度やバネ性を有するロック部材４０を、比較的容易に形成できる。但し、本発明は、これに限られない。例えば、ロック部材４０の夫々は、複数の金属板を組み合わせて形成されていてもよい。
【００４２】
図４、図８及び図９に示されるように、ロック部材４０の夫々は、支持部４１０と、バネ部４２０と、ロック部４３０と、被圧入部４４０と、連結部４５０と、止め部４６０とを有している。本実施の形態において、支持部４１０及びバネ部４２０の夫々は、Ｚ方向と直交する平板形状を有しており、ロック部４３０，被圧入部４４０及び連結部４５０の夫々は、Ｘ方向と直交する平板形状を有している。但し、本発明は、これに限られない。例えば、支持部４１０及びバネ部４２０の夫々は、Ｚ方向と多少斜交していてもよい。また、ロック部４３０，被圧入部４４０及び連結部４５０の夫々は、Ｘ方向と多少斜交していてもよい。換言すれば、支持部４１０及びバネ部４２０の夫々は、Ｚ方向と交差していればよく、ロック部４３０，被圧入部４４０及び連結部４５０の夫々は、Ｘ方向と交差していればよい。
【００４３】
支持部４１０は、バネ部４２０を弾性変形可能に片持ち梁状に支持している。ロック部４３０は、バネ部４２０の自由端に設けられている。ロック部４３０は、バネ部４２０の弾性変形によって、Ｚ方向に移動可能である。被圧入部４４０及び連結部４５０の夫々は、支持部４１０に接続されて下方に延びている。特に、本実施の形態による被圧入部４４０及び連結部４５０は、支持部４１０のＸ方向における両側に夫々接続されている。止め部４６０は、連結部４５０の前部（−Ｙ側の部位）の下端から下方に延びている。換言すれば、連結部４５０は、支持部４１０と止め部４６０とを互いに連結している。止め部４６０は、被固定部４６２を有している。被固定部４６２は、止め部４６０の下端に位置しており、Ｘ方向外側に張り出している。
【００４４】
図４、図１３及び図１５を参照すると、ロック部材４０は、ハウジング２０の側部２２０に上方から夫々取り付けられている。詳しくは、図８乃至図１０に示されるように、被圧入部４４０の＋Ｙ側の縁面及び−Ｙ側の縁面の夫々には、複数の圧入突起４４２が形成されている。図１３及び図１５を参照すると、被圧入部４４０は、ハウジング２０の圧入部２６０に上方から圧入されて下方に延びている。これにより、ハウジング２０は、ロック部材４０を保持している。本実施の形態によれば、被圧入部４４０の圧入突起４４２（図１０参照）は、Ｙ方向に突出している。但し、本発明は、これに限定されない。被圧入部４４０がハウジング２０に確実に保持される限り、圧入突起４４２は、Ｚ方向と直交する任意の方向に突出していてもよい。また、圧入突起４４２は、被圧入部４４０の＋Ｙ側の縁面及び−Ｙ側の縁面の一方のみに設けられていてもよい。
【００４５】
図１３乃至図１６を参照すると、連結部４５０は、ハウジング２０の挿入部２７０に上方から挿入されている。連結部４５０は、少なくとも部分的に挿入部２７０の内部に位置しており、止め部４６０は、少なくとも部分的に位置決め部２８０の内部に位置している。これにより、位置決め部２８０の前端（即ち、−Ｙ側の外壁２２６の後端）及び位置決め部２８０の後端（即ち、＋Ｙ側の外壁２２６の前端）は、止め部４６０のＹ方向における移動を規制している。
【００４６】
図１０に示されるように、被圧入部４４０の下端は、Ｚ方向において止め部４６０の下端（被固定部４６２）の上方に位置している。従って、図１３を参照すると、ロック部材４０をハウジング２０に上方から取り付ける際、先ず、止め部４６０の被固定部４６２が、位置決め部２８０に挿入される。これによって、ロック部材４０は、ＸＹ平面において粗く位置決めされる。次に、被圧入部４４０が圧入部２６０に圧入され、連結部４５０が挿入部２７０に挿入される。この結果、ロック部材４０は、ハウジング２０に取り付けられ、ロック部材４０のＸＹ平面における位置が固定される。以上の説明から理解されるように、本実施の形態によるロック部材４０は、ＸＹ平面において位置決めし易い構造を有している。
【００４７】
図１３を参照すると、止め部４６０の被固定部４６２は、コネクタ１０の使用時に、回路基板８２（図１参照）に半田付け等によって固定される。２つの被固定部４６２がコネクタ１０の前端近傍において回路基板８２に固定され、複数のコンタクト３０の被固定部３３０がコネクタ１０の後端において回路基板８２に固定されるため、コネクタ１０は、回路基板８２に強固に固定される。
【００４８】
また、本実施の形態によるロック部材４０の支持部４１０は、コネクタ１０の使用時に、被圧入部４４０及び止め部４６０の２つの部位によって強固に保持される。換言すれば、支持部４１０には、支持部４１０のＺ方向の移動を防止する部位が２つ設けられている。本実施の形態において、この２つの部位は、支持部４１０のＸ方向内側に接続された被圧入部４４０と、支持部４１０のＸ方向外側に連結部４５０を介して間接的に接続された止め部４６０である。
【００４９】
但し、本発明は、これに限られない。支持部４１０のＺ方向の移動を防止する２つの部位は、支持部４１０のどの部位に接続されていてもよい。例えば、止め部４６０は、支持部４１０の後端に直接的に接続されていてもよい。被圧入部４４０や止め部４６０以外の部位が、支持部４１０のＺ方向の移動を防止してもよい。ロック部材４０は、被圧入部４４０や止め部４６０に加えて、支持部４１０の後端に接続された別の被圧入部を有していてもよい。一方、ロック部材４０は、支持部４１０のＺ方向の移動を防止する部位を、１つのみ有していてもよい。例えば、ロック部材４０は、連結部４５０や止め部４６０を有していなくてもよい。
【００５０】
図１３及び図１５に示されるように、支持部４１０は、ハウジング２０の規制部２３０の上に配置されている。バネ部４２０は、支持部４１０から前方に延びている。ロック部４３０は、バネ部４２０の前端に設けられている。特に、本実施の形態によるロック部４３０は、バネ部４２０のＸ方向における一方の側（Ｘ方向内側）から下方に延びている。この構造により、バネ部４２０のバネ長を長くすることができる。例えば、バネ部４２０の前端をＸ方向内側に向かって更に長く延ばすことで、バネ部４２０のバネ長を更に長くできる。また、図１１及び図１３に示されるように、バネ部４２０のＸ方向におけるサイズは、前方に向かうにつれて小さくなっている。以上の説明から理解されるように、ロック部材４０は、ロック部４３０がＺ方向に移動し易い構造を有している。
【００５１】
図１１及び図１２を参照すると、ロック部４３０は、Ｘ方向において被圧入部４４０と連結部４５０との間に位置している。特に、バネ部４２０と支持部４１０との間の境界４２２は、Ｘ方向において被圧入部４４０と連結部４５０との間に位置している。この構造により、バネ部４２０は、安定的に支持され、必要なバネ力を安定的に発揮する。
【００５２】
図１３及び図１７を参照すると、ロック部材４０をハウジング２０に上方から取り付ける際、ロック部４３０は、ガイド部２５０にガイドされて通過路２４０にスムーズに挿入される。図２１を参照すると、ロック部４３０は、通過路２４０を通過して受容部１２の内部に突出している（図１８参照）。これにより、ロック部４３０は、対象物６０の被挿入部６２が受容部１２に挿入されて対象物６０がコネクタ１０と接続されたとき、被挿入部６２の被ロック部６８の前方への移動を止める（図２２参照）。換言すれば、ロック部４３０は、被ロック部６８をロックする。
【００５３】
図８、図９、図１９及び図２０に示されるように、ロック部４３０は、前側部４３２と、後側部４３４とを有している。前側部４３２及び後側部４３４は、ロック部４３０のＹ方向における前側（−Ｙ側）及び後側（＋Ｙ側）に夫々位置している。前側部４３２及び後側部４３４の夫々は、Ｙ方向と斜交し且つＺ方向と斜交する平面である。より具体的には、前側部４３２及び後側部４３４の夫々は、ロック部４３０の縁面である。対象物６０がコネクタ１０に挿入されていないとき、前側部４３２は、下方及び後方に延びてＹ方向と第１角度θ１で交差しており、後側部４３４は、下方及び前方に延びてＹ方向と第２角度θ２で交差している。第１角度θ１及び第２角度θ２の夫々は、０°よりも大きく９０°よりも小さい。第２角度θ２は、第１角度θ１よりも大きい。
【００５４】
図２１及び図２３を参照すると、対象物６０を＋Ｙ方向に沿ってコネクタ１０の受容部１２に挿入開始すると、被挿入部６２の先端（＋Ｙ側の端）がロック部４３０の前側部４３２と突き当たる。対象物６０を所定の挿入力Ｆｉで後方に向かって押すと、ロック部４３０は上方に移動する。このとき、ロック部４３０は、ガイド部２５０によってＸ方向内側への移動を規制されつつ、上方に移動する。対象物６０を押し続けると、上方に移動したロック部４３０は、被挿入部６２の上面をスライドした後、凹部６６内に位置する。図１８及び図２２を参照すると、このとき、接続部３１０の前端は、被挿入部６２の対応する端子６４と接触する。換言すれば、対象物６０は、コネクタ１０と物理的かつ電気的に接続される。
【００５５】
図２２を参照すると、対象物６０がコネクタ１０に接続されているとき、ロック部４３０の後側部４３４は、対象物６０の被ロック部６８の前に位置している。前述したように、後側部４３４とＹ方向との交角は、前側部４３２とＹ方向との交角よりも大きい。換言すれば、後側部４３４の接線は、前側部４３２の接線よりも大きな角度でＹ方向と交差している。このため、対象物６０をコネクタ１０から抜去するためには、対象物６０をコネクタ１０に挿入する際の挿入力Ｆｉよりも大きな抜去力Ｆｒが必要である。
【００５６】
例えば対象物６０が衝撃によって前方に向かう力を受けたとき、被ロック部６８が後側部４３４と突き当たる。このときの前方に向かう力が抜去力Ｆｒよりも小さい場合、ロック部４３０は、上方に移動することなく被ロック部６８の前方への移動を止める。換言すれば、ロック部４３０は、被ロック部６８をロックし続ける。抜去力Ｆｒは、後側部４３４とＹ方向との交角や、バネ部４２０のバネ性を調整することで、通常の衝撃によって生じない程度の大きさに設定可能である。抜去力Ｆｒをこのように比較的大きく設定することで、対象物６０の意図しない抜去を防止できる。換言すれば、ロック部４３０は、被ロック部６８を確実にロックできる。
【００５７】
図２２及び図２３を参照すると、コネクタ１０に接続された対象物６０を−Ｙ方向に沿ってコネクタ１０から抜去開始すると、被ロック部６８が後側部４３４と突き当たる。前述したように、後側部４３４とＹ方向との間の交角は、９０°よりも小さい。換言すれば、後側部４３４の接線は、９０°よりも小さな角度でＹ方向と交差している。このため、対象物６０を抜去力Ｆｒで前方に向かって引くと、ロック部４３０は上方に移動する。このとき、ロック部４３０は、ガイド部２５０によってＸ方向内側への移動を規制されつつ、上方に移動する。換言すれば、抜去力Ｆｒは、ロック部４３０を実質的に上方のみに移動させる。対象物６０を引き続けると、上方に移動したロック部４３０は、被挿入部６２の上面をスライドした後、被挿入部６２の後方に位置する。これにより、対象物６０は、コネクタ１０から抜去される。
【００５８】
図２１及び図２２を参照すると、規制部２３０は、対象物６０がコネクタ１０に挿入されたとき、Ｚ方向において被ロック部６８の上方に位置して被ロック部６８のＺ方向における移動を規制している。規制部２３０は、対象物６０をコネクタ１０から抜去する際にも、被ロック部６８のＺ方向における移動を規制する。これにより、被ロック部６８が傾いた状態で後側部４３４に突き当たることでロック部４３０が上方に移動せずロックが外れないといったことが防止できる。特に、本実施の形態によれば、規制部２３０の周辺には、通過路２４０を除いて孔が形成されていない。このため、規制部２３０は、十分な強度を有しており、被ロック部６８のＺ方向における移動を、より確実に規制できる。
【００５９】
更に、図１５及び図２０を参照すると、バネ部４２０は、規制部２３０から僅かに上方に離れて規制部２３０の上に位置している。このため、ロック部４３０は、下方に押圧されたとしても、下方に殆ど移動できない。換言すれば、ロック部４３０は、下方に移動し難く上方に移動し易い。特に、本実施の形態によれば、バネ部４２０全体が規制部２３０の上に位置している。このため、ロック部４３０の下方への移動が、より確実に規制できる。但し、本発明は、これに限られない。バネ部４２０は、少なくとも部分的に規制部２３０の上に位置してＹ方向に延びていてもよい。
【００６０】
図１及び図２を参照すると、本実施の形態によれば、対象物６０のコネクタ１０からの意図しない抜去を防止できると共に対象物６０を抜去力Ｆｒで引くだけで、対象物６０をコネクタ１０から抜去できる。このため、コネクタ１０の設置場所が限定されない。更に、コネクタ１０は、ロック部材４０を操作するための部材や部位を備える必要がない。
【００６１】
本実施の形態は、既に述べた変形例に加えて、更に様々に変形可能である。
【００６２】
図２４を参照すると、変形例によるコネクタ１０Ａは、ロック部材４０（図３参照）と少し異なるロック部材４０Ａを備えていることを除き、コネクタ１０（図３参照）と同一構造を有している。ロック部材４０Ａは、ロック部４３０（図２３参照）と異なる形状のロック部４３０Ａを有していることを除き、ロック部材４０と同一構造を有している。
【００６３】
ロック部４３０Ａは、前側部４３２Ａと、後側部４３４Ａとを有している。前側部４３２Ａ及び後側部４３４Ａの夫々は、ＹＺ平面において弧形状を有しており、ロック部４３０Ａの下端４３８において互いに繋がっている。前側部４３２Ａ及び後側部４３４Ａは、対象物６０がコネクタ１０Ａに挿入されていないときにＺ方向において互いに同じ位置にある前側所定点４３２Ｐ及び後側所定点４３４Ｐを夫々含んでいる。対象物６０がコネクタ１０Ａに挿入されていないとき、前側所定点４３２Ｐにおける第１接線（接線）ＴＬ１は、Ｘ方向と直交する垂直面（ＹＺ平面）内を下方及び後方に延びてＹ方向と第１角度θ１で交差している。このとき、後側所定点４３４Ｐにおける第２接線（接線）ＴＬ２は、ＹＺ平面内において下方及び前方に延びてＹ方向と第２角度θ２で交差している。第１角度θ１及び第２角度θ２の夫々は、０°よりも大きく９０°よりも小さい。第２角度θ２は、第１角度θ１よりも大きい。
【００６４】
前側所定点４３２Ｐ及び後側所定点４３４Ｐの夫々は、Ｚ方向において対象物６０の上面と同じ位置にある。このため、対象物６０をコネクタ１０Ａに挿入開始すると、被挿入部６２の先端（＋Ｙ側の端）が前側所定点４３２Ｐと突き当たる。また、コネクタ１０Ａに接続された対象物６０を、コネクタ１０から抜去開始すると、被ロック部６８が後側所定点４３４Ｐと突き当たる。この構造により、前述した本実施の形態と同様に、対象物６０の意図しない抜去を防止できると共に対象物６０を引くだけで抜去できる。
【００６５】
以上の説明から理解されるように、前側所定点４３２Ｐ及び後側所定点４３４ＰのＺ方向における位置は、対象物６０のＺ方向におけるサイズによって異なる。このため、本変形例において、前側部４３２Ａの円弧を後側部４３４Ａの円弧に比べて全体的に緩やかに湾曲させている。この構造により、前側所定点４３２Ｐ及び後側所定点４３４Ｐが下端４３８の上方に位置する限り、接線ＴＬ２とＹ方向との交角を、接線ＴＬ１とＹ方向との交角よりも大きくできる。
【００６６】
前側部４３２Ａは、ロック部４３０Ａの前側に位置する部位の一部であってもよい。同様に、後側部４３４Ａは、ロック部４３０Ａの後側に位置する部位の一部であってもよい。また、前側部４３２Ａ及び後側部４３４Ａの夫々は、弧形状でなくてもよい。例えば、前側部４３２Ａは、Ｙ方向及びＺ方向の双方と斜交する平面であってもよい。この場合、対象物６０がコネクタ１０Ａに挿入されていないとき、前側部４３２Ａは、後側所定点４３４Ｐ（Ｚ方向において前側部４３２Ａの上端と下端との間に位置する点）における第２角度θ２よりも小さな第１角度θ１でＹ方向と交差していればよい。同様に、後側部４３４Ａは、Ｙ方向及びＺ方向の双方と斜交する平面であってもよい。この場合、対象物６０がコネクタ１０Ａに挿入されていないとき、後側部４３４は、前側所定点４３２Ｐ（Ｚ方向において後側部４３４Ａの上端と下端との間に位置する点）における第１角度θ１よりも大きな第２角度θ２でＹ方向と交差していればよい。
【００６７】
上述した本実施の形態や変形例は、更に様々に変形可能である。例えば、本発明は、対象物が平板形状を有していない場合にも適用可能である。コネクタは、ハウジング、コンタクト及びロック部材に加えて別の部材を備えていてもよい。コンタクトは、どのような形状を有していてもよい。ロック部材は、互いに同一形状を有していてもよい。また、ロック部材の数は、１つでもよいし、３つ以上でもよい。但し、対象物をバランスよく確実にロックするという観点からは、本実施の形態のように互いに鏡対称な２つのロック部材を備えることが好ましい。
【００６８】
更に、ハウジングやロック部材は、様々に変形可能である。例えば、ハウジングは、ガイド部を有していなくてもよい。この場合、通過路は、主部の側面と側部の規制部との間に形成された隙間であってもよい。ロック部材のバネ部は、前方から後方に延びていてもよい。この場合、規制部は、ハウジングの前端まで延びていてもよい。また、ハウジングの挿入部や位置決め部の夫々は、側部をＺ方向に貫通する孔であってもよい。
【符号の説明】
【００６９】
１０，１０Ａ      コネクタ
１２              受容部
２０              ハウジング
２４              後面（後端）
２１０            主部
２１２            後壁
２１４            保持部
２１８            側面
２２０            側部
２２２            上板部
２２４            内壁面
２２６            外壁
２３０            規制部
２４０            通過路
２５０            ガイド部
２６０            圧入部
２７０            挿入部
２８０            位置決め部
３０              コンタクト
３１０            接続部
３２０            被保持部
３３０            被固定部
４０，４０Ａ      ロック部材
４１０            支持部
４２０            バネ部
４２２            境界
４３０，４３０Ａ  ロック部
４３２，４３２Ａ  前側部
４３２Ｐ          前側所定点
４３４，４３４Ａ  後側部
４３４Ｐ          後側所定点
４３８            下端
４４０            被圧入部
４４２            圧入突起
４５０            連結部
４６０            止め部
４６２            被固定部
６０              ＦＰＣ（対象物）
６２              被挿入部
６４              端子
６６              凹部
６８              被ロック部
８０              構造体
８２              固定対象物（回路基板）
８４              壁部
８８              窓
ＴＬ１            第１接線（接線）
ＴＬ２            第２接線（接線）
【図１】
2017037737.tif 000003
【図２】
2017037737.tif 000004
【図３】
2017037737.tif 000005
【図４】
2017037737.tif 000006
【図５】
2017037737.tif 000007
【図６】
2017037737.tif 000008
【図７】
2017037737.tif 000009
【図８】
2017037737.tif 000010
【図９】
2017037737.tif 000011
【図１０】
2017037737.tif 000012
【図１１】
2017037737.tif 000013
【図１２】
2017037737.tif 000014
【図１３】
2017037737.tif 000015
【図１４】
2017037737.tif 000016
【図１５】
2017037737.tif 000017
【図１６】
2017037737.tif 000018
【図１７】
2017037737.tif 000019
【図１８】
2017037737.tif 000020
【図１９】
2017037737.tif 000021
【図２０】
2017037737.tif 000022
【図２１】
2017037737.tif 000023
【図２２】
2017037737.tif 000024
【図２３】
2017037737.tif 000025
【図２４】
2017037737.tif 000026
【図２５】
2017037737.tif 000027
【図２６】
2017037737.tif 000028
【手続補正書】
【提出日】平成28年6月2日(2016.6.2)
【手続補正１】
【補正対象書類名】明細書
【補正対象項目名】００２５
【補正方法】変更
【補正の内容】
【００２５】
【図１】本発明の実施の形態による２つのコネクタが取り付けられた構造体を、コネクタに夫々接続可能な２つの対象物と共に示す斜視図である。対象物は、コネクタに挿入されていない。一方の対象物の被挿入部（破線で囲んだ部分）を拡大して描画している。
【図２】図１の構造体を対象物と共に示す斜視図である。対象物は、コネクタに挿入され接続されている。
【図３】図１のコネクタを示す斜視図である。
【図４】図３のコネクタを示す分解斜視図である。
【図５】図４のコネクタのハウジングを示す斜視図である。
【図６】図５のハウジングのピッチ方向における一方側を示す背面図である。
【図７】図４のコネクタのコンタクトを示す斜視図である。
【図８】図４のコネクタのロック部材を示す斜視図である。
【図９】図８のロック部材を示す別の斜視図である。
【図１０】図８のロック部材を示す側面図である。
【図１１】図８のロック部材を示す上面図である。支持部とバネ部との間の境界を破線（仮想線）で描画している。
【図１２】図８のロック部材を示す正面図である。
【図１３】図３のコネクタを示す別の斜視図である。
【図１４】図３のコネクタを示す更に別の斜視図である。
【図１５】図３のコネクタのピッチ方向における一方の側部の近傍を示す上面図である。
【図１６】図３のコネクタを示す側面図である。
【図１７】図３のコネクタのピッチ方向における一方の側部の近傍を示す背面図である。
【図１８】図３のコネクタを示す正面図である。
【図１９】図１８のコネクタをＸＩＸ−ＸＩＸ線に沿って示す断面図である。ロック部材のロック部の近傍（１点鎖線で囲んだ部分）を拡大して描画している。
【図２０】図１８のコネクタをＸＸ−ＸＸ線に沿って示す断面図である。ロック部材のロック部の近傍（１点鎖線で囲んだ部分）を拡大して描画している。
【図２１】図３のコネクタを一部切り欠いて対象物と共に示す斜視図である。ハウジングの上板部の下端を破線（仮想線）で描画している。対象物は、コネクタに挿入開始しているが、コネクタと接続されていない。
【図２２】図２１のコネクタ及び対象物を示す斜視図である。対象物は、コネクタと接続されている。
【図２３】図２０のロック部の近傍を、コンタクトを除いて示す断面図である。コネクタに挿入される際の対象物の先端を１点鎖線で描画しており、コネクタから抜去される際の対象物の被ロック部を２点鎖線で描画している。
【図２４】図２３のロック部の変形例を示す断面図である。
【図２５】特許文献１のコネクタを示す断面図である。コネクタは対象物と接続している。
【図２６】図２５のコネクタ及び対象物を示す断面図である。対象物は、コネクタから抜去されている。
【手続補正２】
【補正対象書類名】明細書
【補正対象項目名】００６６
【補正方法】変更
【補正の内容】
【００６６】
前側部４３２Ａは、ロック部４３０Ａの前側に位置する部位の一部であってもよい。同様に、後側部４３４Ａは、ロック部４３０Ａの後側に位置する部位の一部であってもよい。また、前側部４３２Ａ及び後側部４３４Ａの夫々は、弧形状でなくてもよい。例えば、前側部４３２Ａは、Ｙ方向及びＺ方向の双方と斜交する平面であってもよい。この場合、対象物６０がコネクタ１０Ａに挿入されていないとき、前側部４３２Ａは、後側所定点４３４Ｐ（Ｚ方向において前側部４３２Ａの上端と下端との間に位置する点）における第２角度θ２よりも小さな第１角度θ１でＹ方向と交差していればよい。同様に、後側部４３４Ａは、Ｙ方向及びＺ方向の双方と斜交する平面であってもよい。この場合、対象物６０がコネクタ１０Ａに挿入されていないとき、後側部４３４Ａは、前側所定点４３２Ｐ（Ｚ方向において後側部４３４Ａの上端と下端との間に位置する点）における第１角度θ１よりも大きな第２角度θ２でＹ方向と交差していればよい。